(57)【要約】【課題】  冷蔵庫の左右一対の扉の間の隙間を閉鎖する仕切体に結露が発生することを抑制する。【解決手段】  冷蔵庫は、貯蔵室を有する筐体と、左扉と右扉とによって前記貯蔵室の前面開口を閉鎖する左右一対の扉と、前記左扉と前記右扉の一方に固定されており前記左右一対の扉によって前記前面開口が閉鎖された閉鎖状態において、前記左扉と前記右扉の他方に当接する仕切体と、前記貯蔵室に冷気を吹き出すための吹き出し口と、を備え、前記吹き出し口は、前記閉鎖状態において前記仕切体を避けた位置に向けて冷気を吹き出すように開口していてもよい。【選択図】  図２
2020118386.tif 000002
【特許請求の範囲】
【請求項１】
貯蔵室を有する筐体と、
左扉と右扉とによって前記貯蔵室の前面開口を閉鎖する左右一対の扉と、
前記左扉と前記右扉の一方に固定されており、前記左右一対の扉によって前記前面開口が閉鎖された閉鎖状態において、前記左扉と前記右扉の他方に当接する仕切体と、
前記貯蔵室に冷気を吹き出すための吹き出し口と、を備え、
前記吹き出し口は、前記閉鎖状態において前記仕切体を避けた位置に向けて冷気を吹き出すように開口している、冷蔵庫。
【請求項２】
前記吹き出し口よりも前記貯蔵室の前面側に配置されており、前記閉鎖状態において前記吹き出し口から前記貯蔵室内に吹き出された冷気を前記貯蔵室内の中央部に向けて案内する第１案内部材をさらに備える、請求項１に記載の冷蔵庫。
【請求項３】
前記第１案内部材は、前記貯蔵室の一方の側面に固定されている、請求項２に記載の冷蔵庫。
【請求項４】
前記第１案内部材よりも前記貯蔵室の前記前面側に配置されており、前記貯蔵室の他方の側面に固定されている第２案内部材をさらに備え、
前記第２案内部材は、前記閉鎖状態において前記第１案内部材によって案内された冷気を前記貯蔵室の後面側に向けて案内する、請求項２又は３に記載の冷蔵庫。
【請求項５】
前記貯蔵室内の冷気を吸い込むための吸い込み口をさらに備え、
前記吸い込み口は、前記閉鎖状態において前記第２案内部材によって案内された冷気を吸い込むように開口している、請求項４に記載の冷蔵庫。
【請求項６】
前記吹き出し口は、前記閉鎖状態において前記貯蔵室を正面視したときに前記貯蔵室の後面において前記仕切体よりも左右の一方側に開口している第１開口と、前記仕切体よりも左右の他方側に開口している第２開口と、を備え、
前記第１開口から吹き出される冷気の第１流量が前記第２開口から吹き出される冷気の第２流量よりも大きくなるように構成されている、請求項１から５のいずれか一項に記載の冷蔵庫。
【請求項７】
前記第１開口の開口面積が前記第２開口の開口面積よりも大きい、請求項６に記載の冷蔵庫。
【請求項８】
前記第１開口は、前記閉鎖状態において前記左右一対の扉のうち前記仕切体よりも左右の他方側に位置する扉に向かって冷気が吹き出されるように開口している、請求項６又は７に記載の冷蔵庫。
【請求項９】
前記第１開口に沿って延びており、前記第１開口から冷気が吹き出される向きを調整する第１ルーバと、
前記第２開口に沿って延びており、前記第２開口から冷気が吹き出される向きを調整する第２ルーバと、をさらに備える、請求項６から８のいずれか一項に記載の冷蔵庫。
【請求項１０】
前記第１開口と前記第２開口とよりも前記貯蔵室の前面側に配置されており、前記第１開口と前記第２開口とに重なって配置されている前板をさらに備える、請求項６から９のいずれか一項に記載の冷蔵庫。
【発明の詳細な説明】
【技術分野】
【０００１】
本明細書は、左右一対の扉を備える冷蔵庫に関する。
【背景技術】
【０００２】
特許文献１に開示される冷蔵庫は、冷蔵室を画定する筐体と、冷蔵室の前面開口を閉塞する左右一対の扉と、冷蔵室の前面開口を閉鎖する状態で左右一対の扉の間に形成される隙間を閉鎖する仕切体と、冷蔵室に冷気を吹き出すための吹き出し口と、を備える。冷気が吹き出し口から冷蔵室に吹き出ることによって、冷蔵室が冷却される。
【先行技術文献】
【特許文献】
【０００３】
【特許文献１】特開２０１５−６８５１０号公報
【発明の概要】
【発明が解決しようとする課題】
【０００４】
特許文献１の冷蔵庫では、冷蔵室の冷気の温度と冷蔵室外の外気の温度との温度差に起因して、仕切体に結露が発生することがある。特に、仕切体の温度が低いほど結露が多く発生する。
【０００５】
本明細書では、仕切体に結露が発生することを抑制することができる技術を開示する。
【課題を解決するための手段】
【０００６】
本明細書に開示される冷蔵庫は、貯蔵室を有する筐体と、左扉と右扉とによって前記貯蔵室の前面開口を閉鎖する左右一対の扉と、前記左扉と前記右扉の一方に固定されており前記左右一対の扉によって前記前面開口が閉鎖された閉鎖状態において、前記左扉と前記右扉の他方に当接する仕切体と、前記貯蔵室内に冷気を吹き出すための吹き出し口と、を備え、前記吹き出し口は、前記閉鎖状態において前記仕切体を避けた位置に向けて冷気を吹き出すように開口している。
【図面の簡単な説明】
【０００７】
【図１】第１実施例の冷蔵庫の縦断面図である。
【図２】図１のII−II線における冷蔵庫の断面図である。
【図３】第２実施例の冷蔵庫の冷蔵室を正面視した図である。
【図４】図３のIV−IV線におけるダクト板の断面図である。
【図５】第２実施例の冷蔵庫の冷蔵室内の冷気の流れを示す図である。
【図６】第３実施例のダクト板の断面図である。
【図７】第４実施例の冷蔵庫の冷蔵室の断面図である。
【発明を実施するための形態】
【０００８】
（第１実施例）
図１及び図２を参照して、第１実施例の冷蔵庫１０を説明する。図１及び図２に示すように、冷蔵庫１０は、筐体１２と、複数の扉３０、３２、３４、３６と、仕切体３８と、冷却器４０と、ファン４２と、ダクト部材５０と、を備える。筐体１２は、断熱性を有する。筐体１２は、その内部に、第１冷凍室２０と、第２冷凍室２２と、野菜室２４と、冷蔵室２６と、を有する。第１冷凍室２０と第２冷凍室２２とは、冷凍温度帯の貯蔵室であり、野菜室２４と冷蔵室２６は、冷蔵温度帯の貯蔵室である。
【０００９】
図１に示すように、各貯蔵室２０、２２、２４，２６は、下から上に向かって、第１冷凍室２０、第２冷凍室２２、野菜室２４、冷蔵室２６の順に並んでいる。第１冷凍室２０の前面開口２０ａは、引き出し式の扉３０によって開閉される。第１冷凍室２０には、食品を収容する収容容器が配置されている。第２冷凍室２２の前面開口２２ａは、引き出し式の扉３２によって開閉される。第２冷凍室２２には、食品を収容する収容容器が配置されている。野菜室２４の前面開口２４ａは、引き出し式の扉３４によって開閉される。野菜室２４には、食品を収容する収容容器が配置されている。
【００１０】
図２に示すように、冷蔵室２６の前面開口２６ａは、左右一対の扉３６（左扉３６ａと右扉３６ｂ）によって開閉される。左扉３６ａの左側端部は、筐体１２に回動可能に枢支されている。右扉３６ｂの右側端部は、筐体１２に回動可能に枢支されている。左扉３６ａと右扉３６ｂとによって冷蔵室２６の前面開口２６ａが閉鎖された閉鎖状態において、左扉３６ａと右扉３６ｂとの間に、隙間３６ｃが形成されている。
【００１１】
右扉３６ｂの左側端部には、仕切体３８が回動可能に固定されている。左扉３６ａと右扉３６ｂとによって冷蔵室２６の前面開口２６ａが閉鎖される閉鎖状態において、仕切体３８は、冷蔵室２６の左側側面２６ｂ側に配置されている。また、閉鎖状態において、仕切体３８は、左扉３６ａに当接する。この結果、仕切体３８によって、左扉３６ａと右扉３６ｂとの間の隙間３６ｃが閉鎖される。これにより、冷蔵室２６の気密性が保持される。
【００１２】
仕切体３８の内部には、図示省略のヒータが収容されている。ヒータが発熱すると、仕切体３８の温度が上昇する。仕切体３８は、冷蔵室２６の冷気によって冷却されているが、ヒータによって加熱されることによって、仕切体３８の温度と冷蔵室２６外の外気の温度との温度差が小さくなる。
【００１３】
冷蔵庫１０は、複数の扉ポケット４４をさらに備える。複数の扉ポケット４４は、樹脂材料で作製されている。複数の扉ポケット４４のそれぞれには、食品が収容される。複数の扉ポケット４４は、第１扉ポケット４４ａと第２扉ポケット４４ｂとを備える。第１扉ポケット４４ａは左扉３６ａの冷蔵室２６側の面に固定されており、第２扉ポケット４４ｂは右扉３６ｂの冷蔵室２６側の面に固定されている。左扉３６ａと右扉３６ｂとによって冷蔵室２６の前面開口２６ａは閉鎖される閉鎖状態において、第１扉ポケット４４ａと第２扉ポケット４４ｂとの間には、仕切体３８が配置される。
【００１４】
図１に示すように、筐体１２は、その内部に冷却器室２８をさらに有する。冷却器室２８は、野菜室２４と冷蔵室２６との後部に形成されている。冷却器室２８には、冷却器４０とファン４２とが配置されている。冷却器４０は、冷却器室２８内の空気を冷却する。図示省略のファンモータが駆動して、ファン４２が回転することによって、冷却器室２８内の空気（即ち冷気）が圧送される。
【００１５】
冷蔵室２６の後部には、ダクト部材５０が配置されている。図２に示すように、ダクト部材５０は、ダクト板５２と中板５４とを備える。ダクト板５２は、冷蔵室２６の後部に配置されている。ダクト板５２には、例えば食品が載置される載置棚（図１参照）が固定されている。ダクト板５２は、樹脂材料で作製されている。ダクト板５２と筐体１２の冷蔵室２６側の面との間に隙間が形成されている。ダクト板５２は、筐体１２の冷蔵室２６側の面を前方から覆っている。ダクト板５２と筐体１２の冷蔵室２６側の面との間には、中板５４が配置されている。中板５４は、樹脂材料で作製されている。中板５４は、ダクト板５２に連結されている。また、中板５４は、筐体１２の冷蔵室２６側の面に当接している。これにより、中板５４は、ダクト板５２と筐体１２の冷蔵室２６側の面との間の隙間を左右に分割する。以下では、分割された一方の空間（図２では左側の空間）を第１流路５６と呼び、分割された他方の空間（図２では右側の空間）を第２流路５８と呼ぶ。
【００１６】
図１に示すように、第１流路５６は、冷却器室２８に連通している。第１流路５６には、冷却器室２８内のファン４２によって圧送された冷気が送られる。第１流路５６は、上下方向に延びている。第１流路５６には、ファン４２によって圧送された冷気が上流側から下流側に向かって流れる。
【００１７】
ダクト板５２と筐体１２の冷蔵室２６側の面との間には、上部開口６０（図１参照）と、複数の吹き出し口６２（図２参照）と、複数の吸い込み口６４（図２参照）とが形成されている。図１に示すように、上部開口６０は、第１流路５６の下流に位置している。上部開口６０によって、第１流路５６と冷蔵室２６とが連通している。第１流路５６を下流まで流れた冷気は、上部開口６０を通り、冷蔵室２６に向かって吹き出る。
【００１８】
複数の吹き出し口６２は、第１流路５６の上流側から下流側に向かって一列に並んで配置されている。図２では、１個の吹き出し口６２のみが図示されている。図２に示すように、吹き出し口６２は、ダクト板５２の左端部側に位置している。吹き出し口６２によって、第１流路５６と冷蔵室２６とが連通している。吹き出し口６２は、第１流路５６から冷蔵室２６に向けて冷気を吹き出すように開口している。また、吹き出し口６２は、仕切体３８を避けた位置に向けて冷気を吹き出すように開口している。第１流路５６を流れる冷気は、吹き出し口６２を通り、冷蔵室２６に向かって吹き出る。
【００１９】
複数の吸い込み口６４は、第２流路５８の上流側から下流側に向かって一列に並んで配置されている。図２では、１個の吸い込み口６４のみが図示されている。吸い込み口６４は、ダクト板５２の右端部側に位置している。吸い込み口６４によって、冷蔵室２６と第２流路５８とが連通している。吸い込み口６４は、冷蔵室２６から第２流路５８に向けて冷気を吸い込むように開口している。冷蔵室２６を流れた冷気は、吸い込み口６４に吸い込まれ、第２流路５８に送られる。
【００２０】
第２流路５８には、吸い込み口６４を介して冷蔵室２６から冷気が送られる。第２流路５８は、上下方向に延びている。第２流路５８には、冷気が上流側から下流側に向かって流れる。第２流路５８を流れる冷気は、第１流路５６を流れる冷気と反対の方向に流れる。図示省略しているが、第２流路５８は、冷却器室２８に連通している。第２流路５８を流れる冷気は、冷却器室２８に送られる。
【００２１】
冷蔵庫１０は、第１案内部材７０と第２案内部材７２とをさらに備える。図１に示すように、第１案内部材７０は、冷蔵室２６に配置されている。第１案内部材７０は、冷蔵室２６の上面から下側に向かって上下方向に（図２では紙面垂直方向に）連続して延びている。図２に示すように、第１案内部材７０は、冷蔵室２６の左側側面２６ｂに固定されている。第１案内部材７０は、吹き出し口６２よりも冷蔵室２６の前面２６ａ側に配置されている。第１案内部材７０は、第１扉ポケット４４ａと第２扉ポケット４４ｂとよりも冷蔵室２６の後面２６ｄ側（即ちダクト部材５０側）に配置されている。第１案内部材７０は、冷蔵室２６の中央部２６ｅよりも吹き出し口６２側に配置されている。冷蔵室２６の中央部２６ｅとは、冷蔵室２６の左側側面２６ｂと右側側面２６ｃとの中央位置であって、冷蔵室２６の前面２６ａと後面２６ｄとの中央位置である。図２では、冷蔵室２６の中央部２６ｅの位置が破線状の丸によって図示されている。第１案内部材７０は、冷蔵室２６の左側側面２６ｂから内側に向かって突出している。第１案内部材７０の幅（即ち冷蔵室２６の前後方向における長さ）は、冷蔵室２６の左側側面２６ｂから内側に向かって徐々に小さくなる。第１案内部材７０は、吹き出し口６２側（即ちダクト部材５０側）に位置する第１案内面７０ａを有する。第１案内面７０ａは、冷蔵室２６の左側側面２６ｂに対して傾斜している。第１案内面７０ａは、冷蔵室２６の左側側面２６ｂから中央部２６ｅに向かって延びている。第１案内面７０ａは、吹き出し口６２から吹き出した冷気を冷蔵室２６の中央部２６ｅに向けて案内する。なお、変形例では、第１案内面７０ａは湾曲していてもよい。
【００２２】
図２に示すように、第２案内部材７２は、冷蔵室２６に配置されている。図示省略しているが、第２案内部材７２は、冷蔵室２６の上面から下側に向かって上下方向に連続して延びている。第２案内部材７２は、冷蔵室２６の右側側面２６ｃに固定されている。冷蔵室２６の右側側面２６ｃは、冷蔵室２６の左側側面２６ｂと対向している。第２案内部材７２は、第１案内部材７０と冷蔵室２６の中央部２６ｅよりも冷蔵室２６の前面２６ａ側に配置されている。第２案内部材７２は、第１扉ポケット４４ａと第２扉ポケット４４ｂとよりも冷蔵室２６の後面２６ｄ側（即ちダクト部材５０側）に配置されている。第２案内部材７２は、冷蔵室２６の右側側面２６ｃから内側に向かって突出している。第２案内部材７２の幅（即ち冷蔵室２６の前後方向における長さ）は、冷蔵室２６の右側側面２６ｃから内側に向かって徐々に小さくなる。第２案内部材７２は、吸い込み口６４側（即ちダクト部材５０側）に位置する第２案内面７２ａを有する。第２案内面７２ａは、冷蔵室２６の右側側面２６ｃに対して傾斜している。第２案内面７２ａは、冷蔵室２６の右側側面２６ｃから左側側面２６ｂに向かって延びている。第２案内面７２ａは、第１案内面７０ａによって案内された冷気を冷蔵室２６の後面２６ｄ側（即ちダクト部材５０側）に向けて案内する。なお、変形例では、第２案内面７２ａは、湾曲していてもよい。
【００２３】
次に、図２を参照して、冷蔵庫１０の冷蔵室２６内における冷気の流れを説明する。以下では、扉３６が冷蔵室２６の前面開口２６ａを閉鎖している閉鎖状態における冷蔵室２６を流れる冷気の流れを説明する。まず、冷却器室２８内の冷気は、第１流路５６を流れ、吹き出し口６２から冷蔵室２６に吹き出る。次に、冷気は、冷蔵室２６の左側側面２６ｂに沿って冷蔵室２６の前面２６ａに向かって（図２中の方向Ｄ１に向かって）流れる。
【００２４】
冷気が第１案内部材７０まで流れると、冷気は、第１案内部材７０の第１案内面７０ａに沿って流れる。これにより、冷気の流れる向きは、方向Ｄ１から方向Ｄ２に変わる。この結果、冷気は、冷蔵室２６の中央部２６ｅを通り、冷蔵室２６の右側側面２６ｃに向かって流れる。
【００２５】
その後、冷気が冷蔵室２６の右側側面２６ｃまで流れると、冷気は、第２案内部材７２の第２案内面７２ａに沿って流れる。これにより、冷気の流れる向きは、方向Ｄ２から方向Ｄ３に変わる。方向Ｄ３は、方向Ｄ１と反対の方向である。この結果、冷気は、冷蔵室２６の右側側面２６ｃに沿って冷蔵室２６の後面２６ｄ側に向かって流れる。
【００２６】
その後、冷気が冷蔵室２６の後面２６ｄまで流れると、冷気は、吸い込み口６４に吸い込まれる。吸い込み口６４に吸い込まれた冷気は、第２流路５８を流れ、冷却器室２８に戻る。
【００２７】
（効果）
上述したように、ダクト板５２と筐体１２の冷蔵室２６側の面との間には吹き出し口６２が形成されている。吹き出し口６２は、仕切体３８を避けた位置に向けて冷気を吹き出すように開口している。このため、図２に示すように、吹き出し口６２から冷蔵室２６に吹き出た冷気は、方向Ｄ１、Ｄ２、Ｄ３の順に冷蔵室２６を流れ、吸い込み口６４に吸い込まれる。即ち、冷気は、仕切体３８に当たることなく、即ち仕切体３８を避けて冷蔵室２６を流れる。これにより、冷気が仕切体３８に当たることが抑制される。この結果、仕切体３８の温度が低下して、仕切体３８に結露が発生することを抑制することができる。
【００２８】
また、第１案内部材７０は、吹き出し口６２よりも冷蔵室２６の前面２６ａ側に配置されている。第２案内部材７２は、吸い込み口６４側（即ちダクト部材５０側）に位置する第２案内面７２ａを有する。このため、図２に示すように、冷蔵室２６を方向Ｄ１の向きに流れる冷気が第１案内部材７０まで流れると、冷気は、第１案内部材７０の第１案内面７０ａに沿って流れる。これにより、冷気の向きが方向Ｄ１からＤ２に変わり、冷気は、冷蔵室２６の中央部２６ｅに向かって流れる。この結果、第１案内部材７０の第１案内面７０ａによって、冷気の流れる向きを変えることができる。
【００２９】
また、第２案内部材７２は、冷蔵室２６の右側側面２６ｃに固定されている。第２案内部材７２は、第１案内部材７０よりも冷蔵室２６の前面２６ａ側に配置されている。第２案内部材７２は、吸い込み口６４側（即ちダクト部材５０側）に位置する第２案内面７２ａを有する。このため、図２に示すように、第１案内部材７０に案内されて方向Ｄ２に流れる冷気が第２案内部材７２まで流れると、冷気は、第２案内部材７２の第２案内面７２ａに沿って流れる。これにより、冷気の向きが方向Ｄ２からＤ３に変わり、冷気は、冷蔵室２６の後面２６ｄ側に向かって流れる。この結果、第２案内部材７２の第２案内面７２ａによって、冷蔵室２６の冷気を循環させることができる。
【００３０】
また、ダクト板５２と筐体１２の冷蔵室２６側の面との間には、吸い込み口６４が形成されている。吸い込み口６４は、冷蔵室２６から第２流路５８に向けて冷気を吸い込むように開口している。このため、図２に示すように、第２案内部材７２に案内されて方向Ｄ３の向きに流れる冷気が冷蔵室２６の後面２６ｄまで流れると、冷気は吸い込み口６４に吸い込まれる。この結果、吸い込み口６４に冷気を効率良く吸い込ませることができる。
【００３１】
第１案内部材７０は、冷蔵室２６の左側側面２６ｂに固定されている。このため、冷蔵室２６に食品を収容する空間を確保することができる。
【００３２】
（第２実施例）
図３から図５を参照して、第２実施例を説明する。第２実施例では、第１実施例と異なる点を説明し、第１実施例と同様の点については同様の符号を付して説明を省略する。第２実施例の冷蔵庫１００では、ダクト部材５０は、第１実施例の中板５４を備えていない。また、ダクト部材５０と筐体１２の冷蔵室２６側の面との間には、第２流路５８が形成されていない。ダクト部材５０は、ダクト板５２を備える。ダクト板５２と筐体１２の冷蔵室２６側の面との間には、隙間が形成されている。第２実施例では、この隙間を第１流路５６と呼ぶ。図３に示すように、ダクト板５２には、吹き出し口１６２が形成されている。吹き出し口１６２は、ダクト板５２を貫通している。吹き出し口１６２によって、第１流路５６と冷蔵室２６とが連通している。吹き出し口１６２は、第１流路５６から冷蔵室２６に向けて冷気を吹き出すように開口している。
【００３３】
複数の開口１６４、１６６、１６８、１７０によって、冷気を吹き出すための吹き出し口１６２が構成されている。吹き出し口１６２は、複数の第１開口１６４と、複数の第２開口１６６と、複数の第３開口１６８と、複数の第４開口１７０と、を備える。図３では、１個の第１開口１６４と第２開口１６６と第３開口１６８と第４開口１７０とにのみ符号が付されている。複数の第１開口１６４と複数の第２開口１６６と複数の第３開口１６８と複数の第４開口１７０とのそれぞれは、第１列１６４ａと第２列１６６ａと第３列１６８ａと第４列１７０ａとのそれぞれに沿って並んでいる。図３では、第１列１６４ａと第２列１６６ａと第３列１６８ａと第４列１７０ａとが破線によって図示されている。第１列１６４ａと第２列１６６ａと第３列１６８ａと第４列１７０ａとは、上下方向に対して平行に延びている。各列１６４ａ、１６６ａ、１６８ａ、１７０ａは、冷蔵室２６の左側側面２６ｂから右側側面２６ｃに向かって、第３列１６８ａ、第１列１６４ａ、第２列１６６ａ、第４列１７０ａの順に並んでいる。
【００３４】
図５に示すように、冷蔵室２６を正面視したとき、複数の第１開口１６４は、仕切体３８の左右方向の幅の中央位置よりも左扉３６ａ側に配置されている。また、複数の第１開口１６４は、ダクト板５２の左右方向の幅の中央位置よりも冷蔵室２６の左側側面２６ｂ側に配置されている。
【００３５】
冷蔵室２６を正面視したとき、複数の第２開口１６６は、仕切体３８の左右方向の幅の中央位置よりも右扉３６ｂ側に配置されている。また、複数の第２開口１６６は、ダクト板５２の左右方向の幅の中央位置よりも冷蔵室２６の右側側面２６ｃ側に配置されている。複数の第２開口１６６は、ダクト板５２の左右方向の幅の中央位置に対して、複数の第１開口１６４と反対側に配置されている。図５に示すように、冷蔵室２６を正面視したとき、複数の第２開口１６６は、閉鎖状態における第２扉ポケット４４ｂと重なって配置されている。
【００３６】
図３に示すように、第２開口１６６の上下方向の幅Ｈ２は、第１開口１６４の上下方向の幅Ｈ１と等しい。図４に示すように、第２開口１６６の左右方向の幅Ｗ２は、第１開口１６４の左右方向の幅Ｗ１よりも短い。開口面積は上下方向の幅と左右方向の幅との積である。このため、第２開口１６６の開口面積よりも第１開口１６４の開口面積が大きい。
【００３７】
図５に示すように、冷蔵室２６を正面視したとき、複数の第３開口１６８は、仕切体３８の左右方向の幅の中央位置と複数の第１開口１６４とよりも冷蔵室２６の左側側面２６ｂ側に配置されている。図５に示すように、冷蔵室２６を正面視したとき、複数の第３開口１６８は、閉鎖状態における第１扉ポケット４４ａと重なって配置されている。
【００３８】
第３開口１６８は、第１開口１６４と同様の形状を有する。このため、図３及び図４に示すように、第３開口１６８の上下方向の幅Ｈ３と左右方向の幅Ｗ３とのそれぞれは、第１開口１６４の上下方向の幅Ｈ１と左右方向の幅Ｗ１とのそれぞれと等しい。第３開口１６８の開口面積は、第１開口１６４の開口面積と等しい。
【００３９】
図５に示すように、冷蔵室２６を正面視したとき、複数の第４開口１７０は、仕切体３８の左右方向の中央位置と複数の第２開口１６６よりも冷蔵室２６の右側側面２６ｃ側に配置されている。複数の第４開口１７０は、ダクト板５２の左右方向の幅の中央位置に対して、複数の第３開口１６８と反対側に配置されている。図５に示すように、冷蔵室２６を正面視したとき、複数の第４開口１７０は、閉鎖状態における第２扉ポケット４４ｂと重なって配置されている。
【００４０】
第４開口１７０は、第２開口１６６と同様の形状を有する。このため、図３及び図４に示すように、第４開口１７０の上下方向の幅Ｈ４と左右方向の幅Ｗ４とのそれぞれは、第２開口１６６の上下方向の幅Ｈ２と左右方向の幅Ｗ４とのそれぞれと等しい。第４開口１７０の開口面積は、第３開口１６８の開口面積と等しい。
【００４１】
図４及び図５に示すように、ダクト部材５０は、第１ルーバ１７４と、第２ルーバ１７６と、第３ルーバ１７８と、第４ルーバ１８０と、さらに備える。第１ルーバ１７４と第２ルーバ１７６と第３ルーバ１７８と第４ルーバ１８０とは、樹脂材料で作製されている。第１ルーバ１７４と第２ルーバ１７６と第３ルーバ１７８と第４ルーバ１８０とは、ダクト板５２の第１流路５６側の面に固定されている。
【００４２】
第１ルーバ１７４は、ダクト板５２の中央位置側における第１開口１６４の縁部に沿って配置されている。図示省略しているが、第１ルーバ１７４は、第１流路５６の最も上流側に位置する第１開口１６４の上流側縁部から最も下流側に位置する第１開口１６４の下流側縁部まで延びている。第１ルーバ１７４の基部１７４ａは、ダクト板５２の第１流路５６側の面に固定されている。第１ルーバ１７４は、ダクト板５２の中央位置から離間する方向（即ち冷蔵室２６の左側側面２６ｂ側）に向かって傾斜して延びている。第１ルーバ１７４は湾曲している。第１ルーバ１７４の先端部１７４ｂは、ダクト板５２の第１流路５６側の面と離間している。第１ルーバ１７４は、第１流路５６を流れる冷気を第１開口１６４に案内する。
【００４３】
第２ルーバ１７６は、ダクト板５２の中央位置側における第２開口１６６の縁部に沿って配置されている。図示省略しているが、第２ルーバ１７６は、第１流路５６の最も上流側に位置する第２開口１６６の上流側縁部から最も下流側に位置する第２開口１６６の下流側縁部まで延びている。第２ルーバ１７６の基部１７６ａは、ダクト板５２の第１流路５６側の面に固定されている。第２ルーバ１７６は、ダクト板５２の中央位置から離間する方向（即ち冷蔵室２６の右側側面２６ｃ側）に向かって傾斜して延びている。第２ルーバ１７６は湾曲している。ダクト板５２の第１流路５６側の面に対する第２ルーバ１７６の傾斜角度は、ダクト板５２の第１流路５６側の面に対する第１ルーバ１７４の傾斜角度よりも大きい。第２ルーバ１７６の先端部１７６ｂは、ダクト板５２の第１流路５６側の面と離間している。図４に示すように、第２ルーバ１７６の先端部１７６ｂとダクト板５２の第１流路５６側の面との間の第２距離Ｌ２は、第１ルーバ１７４の先端部１７４ｂとダクト板５２の第１流路５６側の面との間の第１距離Ｌ１と等しい。第２ルーバ１７６は、第１流路５６を流れる冷気を第２開口１６６に案内する。
【００４４】
図５に示すように、第３ルーバ１７８は、ダクト板５２の中央位置側における第３開口１６８の縁部に沿って配置されている。図示省略しているが、第３ルーバ１７８は、第１流路５６の最も上流に位置する第３開口１６８の上流側縁部から最も下流側に位置する第３開口１６８の下流側縁部まで延びている。第３ルーバ１７８の基部１７８ａは、ダクト板５２の第１流路５６側の面に固定されている。第３ルーバ１７８は、第１ルーバ１７４と同様の形状を有する。このため、図４に示すように、第３ルーバ１７８の先端部１７８ｂとダクト板５２の第１流路５６側の面との間の第３距離Ｌ３は、第１ルーバ１７４の先端部１７４ｂとの間の第１距離Ｌ１と等しい。第３ルーバ１７８は、第１流路５６を流れる冷気を第３開口１６８に案内する。
【００４５】
図５に示すように、第４ルーバ１８０は、ダクト板５２の中央位置側における第４開口１７０の縁部に沿って配置されている。図示省略しているが、第４ルーバ１８０は、第１流路５６の最も上流側に位置する第４開口１７０の上流側縁部から最も下流側に位置する第４開口１７０の下流側縁部まで延びている。第４ルーバ１８０の基部１８０ａは、ダクト板５２の第１流路５６側の面に固定されている。第４ルーバ１８０は、第２ルーバ１７６と同様の形状を有する。このため、図４に示すように、第４ルーバ１８０の先端部１８０ｂとダクト板５２の第１流路５６側との間の第４距離Ｌ４は、第３ルーバ１７８の先端部１７８ｂとダクト板５２との間の第３距離Ｌ３と等しい。第４ルーバ１８０は、第１流路５６を流れる冷気を第４開口１７０に案内する。
【００４６】
次に、図５を参照して、冷蔵庫１００の冷蔵室２６内における冷気の流れを説明する。以下では、扉３６が冷蔵室２６の前面開口２６ａを閉鎖している閉鎖状態における冷蔵室２６を流れる冷気の流れを説明する。まず、第１開口１６４と第３開口１６８とから冷蔵室２６に吹き出る冷気の流れを説明する。第１開口１６４から吹き出る冷気の特徴は、第３開口１６８から吹き出る冷気の特徴と同一であるため、以下では、第１開口１６４から吹き出る冷気を説明する。第１流路５６を流れる冷気は、第１ルーバ１７４の先端部１７４ｂとダクト板５２の第１流路５６側の面との間を通り、第１ルーバ１７４に沿って流れる。その後、冷気は、図５に示す方向Ｆ１の向きで第１開口１６４から冷蔵室２６に吹き出る。方向Ｆ１は、仕切体３８の左右方向の幅の中央位置よりも左側から、仕切体３８よりも右側の右扉３６ｂに向かって流れる冷気の向きである。方向Ｆ１は、前後方向に対して第１角度Ａ１だけ傾斜している。冷気は、第１開口１６４から冷蔵室２６に向けて仕切体３８を避けるように吹き出る。
【００４７】
次に、第２開口１６６と第４開口１７０とから冷蔵室２６に吹き出る冷気の流れを説明する。第２開口１６６から吹き出る冷気の特徴は、第４開口１７０から吹き出る冷気の特徴と同一であるため、以下では、第２開口１６６から吹き出る冷気を説明する。第１流路５６を流れる冷気は、第２ルーバ１７６の先端部１７６ｂとダクト板５２の第１流路５６側の面との間を通り、第２ルーバ１７６に沿って流れる。その後、冷気は、図５に示す方向Ｆ２の向きで第２開口１６６から冷蔵室２６に吹き出る。方向Ｆ２は、仕切体３８の左右方向の幅の中央位置よりも右側から、仕切体３８よりも右側の右扉３６ｂに向かって流れる冷気の向きである。方向Ｆ２は、前後方向に対して第２角度Ａ２だけ傾斜している。第２角度Ａ２は、第１角度Ａ１よりも小さい。冷気は、第２開口１６６から冷蔵室２６に向けて仕切体３８を避けるように吹き出る。
【００４８】
また、上述したように、第１開口１６４の開口面積は、第２開口１６６の開口面積よりも大きい。このため、第２開口１６６から吹き出る冷気の第２流量よりも第１開口１６４から吹き出る冷気の第１流量が大きい。この結果、第２開口１６６から吹き出る冷気は、第１開口１６４から吹き出る冷気を横断して流れない。これにより、第２開口１６６から吹き出る冷気は、左扉３６ａに向かって流れずに、右扉３６ｂに向かって流れる。仕切体３８を避けた位置に冷気が流れる。
【００４９】
（効果）
上述したように、第２実施例の冷蔵庫１００では、冷蔵室２６を正面視したとき、複数の第１開口１６４が、仕切体３８の左右方向の幅の中央位置よりも左扉３６ａ側に配置されており、複数の第２開口１６６が、仕切体３８の左右方向の幅の中央位置よりも右扉３６ｂ側に配置されている。第２開口１６６から吹き出る冷気の第２流量よりも第１開口１６４から吹き出る冷気の第１流量が大きい。このため、吹き出し口１６２が１個の開口を備える場合と比較して、各開口（第１開口１６４と第２開口１６６）から吹き出る冷気の流量が小さい。この結果、例えば、ダクト板５２に固定された載置棚に載置されている食品によって冷気の向きが変化して仕切体３８に冷気が当たる場合でも、吹き出し口１６２が１個の開口を備える場合と比較して、仕切体３８の温度が低下することを抑制することができる。これにより、仕切体３８に結露が発生することを抑制することができる。
【００５０】
また、第１開口１６４の開口面積は、第２開口１６６の開口面積よりも大きい。このため、第１開口１６４から冷蔵室２６に吹き出る冷気の第１流量を第２開口１６６から冷蔵室２６に吹き出る冷気の第２流量よりも大きくすることができる。
【００５１】
また、第１開口１６４は、冷蔵室２６に冷気を吹き出すように開口している。第１開口１６４から吹き出た冷気は、仕切体３８の左右方向の幅の中央位置よりも左側から仕切体３８よりも右側の右扉３６ｂに向かって流れる。第１開口１６４から吹き出る冷気の第１流量は、第２開口１６６から吹き出る冷気の第２流量よりも大きい。このため、第２開口１６６から吹き出る冷気は、第１開口１６４から吹き出る冷気によって、左扉３６ａに向かって流れない。このため、第２開口１６６から吹き出る冷気が仕切体３８に当たることを抑制することができる。
【００５２】
第１ルーバ１７４の傾斜角度は、第２ルーバ１７６の傾斜角度よりも大きい。このため、第１開口１６４から吹き出る冷気の第１角度Ａ１は、第２開口１６６から吹き出る冷気の第２角度Ａ２よりも小さい。この結果、第１ルーバ１７４と第２ルーバ１７６の傾斜角度によって、第１開口１６４と第２開口１６６とから吹き出る冷気の向きを調整することができる。
【００５３】
（対応関係）
第１開口１６４と第３開口１６８とは、「第１開口」の一例であり、第２開口１６６と第４開口１７０とは、「第２開口」の一例である。
【００５４】
（第３実施例）
図６を参照して、第３実施例を説明する。第３実施例では、第２実施例と異なる点を説明し、第２実施例と同様の点については同様の符号を付して説明を省略する。第３実施例では、第１開口１６４の上下方向の幅と左右方向の幅Ｗ１とのそれぞれは、第２開口１６６の上下方向の幅と左右方向の幅Ｗ２とのそれぞれと等しい。また、第３開口１６８の上下方向の幅と左右方向の幅Ｗ３とのそれぞれは、第４開口１７０の上下方向の幅と左右方向の幅Ｗ４とのそれぞれと等しい。即ち、第１開口１６４の形状と第２開口１６６の形状と第３開口１６８の形状と第４開口１７０の形状は等しい。この結果、冷蔵室２６を正面視したとき、第１開口１６４と第２開口１６６と第３開口１６８と第４開口１７０との見た目を同一にすることができる。
【００５５】
第１ルーバ１７４の先端部１７４ｂとダクト板５２との間の第１距離Ｌ１は、第２ルーバ１７６の先端部１７６ｂとダクト板５２との間の第２距離Ｌ２よりも長い。このため、第１ルーバ１７４の先端部１７４ｂとダクト板５２との間を通る冷気の流量は、第２ルーバ１７６の先端部１７６ｂとダクト板５２との間を通る冷気の流量よりも大きい。この結果、第１開口１６４から冷蔵室２６に吹き出す冷気の第１流量を第２開口１６６から冷蔵室２６に吹き出す冷気の第２流量よりも大きくすることができる。第１ルーバ１７４と第２ルーバ１７６の傾斜角度によって、第１開口１６４と第２開口１６６とから吹き出す冷気の流量に差をつけることができる。
【００５６】
また、第３ルーバ１７８の先端部１７８ｂとダクト板５２との間の第３距離Ｌ３は、第４ルーバ１８０の先端部１８０ｂとダクト板５２との間の第４距離Ｌ４よりも長い。このため、第１ルーバ１７４と第２ルーバ１７６とによる冷気の第１流量と第２流量の関係と同様に、第３開口１６８から冷蔵室２６に吹き出す冷気の第３流量を第４開口１７０から冷蔵室２６に吹き出す冷気の第４流量よりも大きくすることができる。第３ルーバ１７８と第４ルーバ１８０の傾斜角度によって、第３開口１６８と第４開口１７０とから吹き出す冷気の流量に差をつけることができる。
【００５７】
（第４実施例）
図７を参照して、第４実施例を説明する。第４実施例では、第２実施例と異なる点を説明し、第２実施例と同様の点については同様の符号を付して説明を省略する。第４実施例では、冷蔵庫１００は、前板２９０をさらに備える。前板２９０は、樹脂材料で作製されている。前板２９０は、冷気を通す微細口（図示省略）を有する。前板２９０は、ダクト板５２よりも冷蔵室２６の前面２６ａ側に配置されている。前板２９０は、上下方向と左右方向に延びている。前板２９０は、第１開口１６４と第２開口１６６と第３開口１６８と第４開口１７０とに重なって配置されている。このため、冷蔵室２６を正面視しても、前板２９０によって、第１開口１６４と第２開口１６６と第３開口１６８と第４開口１７０とが見えない。この結果、冷蔵室２６のデザイン性を良好にすることができる。
【００５８】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００５９】
（１）上記の第１実施例では、第１案内部材７０は、冷蔵室２６の左側側面２６ｂに固定されている。しかしながら、第１案内部材７０は、冷蔵室２６の左側側面２６ｂから離れた位置に配置されていてもよい。また、第２案内部材７２は、冷蔵室２６の右側側面２６ｃに固定されている。しかしながら、第２案内部材７２は、冷蔵室２６の右側側面２６ｃから離れた位置に配置されていてもよい。
【００６０】
（２）上記の第２実施例から第４実施例では、ダクト部材５０は、第１ルーバ１７４と、第２ルーバ１７６と、第３ルーバ１７８と、第４ルーバ１８０と、を備える。しかしながら、ダクト部材５０は、第１ルーバ１７４と、第２ルーバ１７６と、第３ルーバ１７８と、第４ルーバ１８０と、を備えなくてもよい。
【００６１】
（３）上記の第２実施例から第４実施例では、第１ルーバ１７４と第２ルーバ１７６と第３ルーバ１７８と第４ルーバ１８０とのそれぞれは湾曲している。しかしながら、第１ルーバ１７４と第２ルーバ１７６と第３ルーバ１７８と第４ルーバ１８０とのそれぞれは湾曲していなくてもよい。
【００６２】
（４）上記の第４実施例では、冷蔵庫１００は、１個の前板２９０を備える。しかしながら、冷蔵庫１００は、複数の前板２９０を備えていてもよい。この場合、第１開口１６４と第２開口１６６と第３開口１６８と第４開口１７０とのそれぞれに、複数の前板２９０のそれぞれが重なって配置されていてもよい。
【００６３】
（５）上記の実施例では、仕切体３８は、右扉３６ｂの左側端部に回動可能に固定されている。しかしながら、仕切体３８は、左扉３６ａの右側端部に回動可能に固定されていてもよい。この場合、左扉３６ａと右扉３６ｂとによって冷蔵室２６の前面開口２６ａが閉鎖される閉鎖状態において、仕切体３８は、右扉３６ｂに当接する。
【００６４】
（６）上記の第１実施例の冷蔵庫１０に上記の第２実施例から第４実施例の冷蔵庫１００の構成を組み合わせてもよい。
【００６５】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【符号の説明】
【００６６】
１０、１００：冷蔵庫
１２      ：筐体
２０      ：第１冷凍室
２０ａ、２２ａ、２４ａ：前面開口
２２      ：第２冷凍室
２４      ：野菜室
２６      ：冷蔵室
２６ａ    ：前面開口、前面
２６ｂ    ：左側側面
２６ｃ    ：右側側面
２６ｄ    ：後面
２６ｅ    ：中央部
２８      ：冷却器室
３０、３２、３４、３６：扉
３６ａ    ：左扉
３６ｂ    ：右扉
３８      ：仕切体
４０      ：冷却器
４２      ：ファン
５０      ：ダクト部材
５２      ：ダクト板
５４      ：中板
５６      ：第１流路
５８      ：第２流路
６０      ：上部開口
６２、１６２：吹き出し口
６４      ：吸い込み口
７０      ：第１案内部材
７０ａ    ：第１案内面
７２      ：第２案内部材
７２ａ    ：第２案内面
１６４    ：第１開口
１６６    ：第２開口
１６８    ：第３開口
１７０    ：第４開口
１７４    ：第１ルーバ
１７４ａ、１７６ａ、１７８ａ、１８０ａ：基部
１７４ｂ、１７６ｂ、１７８ｂ、１８０ｂ：先端部
１７６    ：第２ルーバ
１７８    ：第３ルーバ
１８０    ：第４ルーバ
２９０    ：前板
【図１】
2020118386.tif 000003
【図２】
2020118386.tif 000004
【図３】
2020118386.tif 000005
【図４】
2020118386.tif 000006
【図５】
2020118386.tif 000007
【図６】
2020118386.tif 000008
【図７】
2020118386.tif 000009